(57)【要約】  二次電池をテストするための装置及び方法が提供される。装置は、テスト経路と、テスト経路の両端に備えられ、二次電池の正極端子と負極端子とにそれぞれ電気的に連結されるように構成されたテスト端子と、テスト経路上に備えられて二次電池の放電電流を測定するように構成されたセンサユニットと、テスト経路上に備えられて二次電池とセンサユニットとの間に定電圧を維持するように構成された定電圧発生ユニットと、センサユニットから放電電流のデータを受信して放電電流のプロファイル上の変曲点を測定し、変曲点を基準にして放電電流の強さを測定し、放電電流の強さに基づいて二次電池の自己放電の大きさをテストするように構成された制御ユニットと、を含む。
2020532061.tif 000002
【特許請求の範囲】
【請求項１】
テスト経路と、
前記テスト経路の両端に備えられ、二次電池の正極端子と負極端子とにそれぞれ電気的に連結されるように構成されたテスト端子と、
前記テスト経路上に備えられて前記二次電池の放電電流を測定するように構成されたセンサユニットと、
前記テスト経路上に備えられて前記二次電池と前記センサユニットとの間に定電圧を維持するように構成された定電圧発生ユニットと、
前記センサユニットから前記放電電流のデータを受信して前記放電電流のプロファイル上の変曲点を測定し、前記変曲点を基準にして前記放電電流の強さを測定し、前記放電電流の強さに基づいて前記二次電池の自己放電の大きさをテストするように構成された制御ユニットと、を含む、二次電池テスト装置。
【請求項２】
前記センサユニットは、前記二次電池の両端電圧をさらに測定するように構成された、請求項１に記載の二次電池テスト装置。
【請求項３】
前記制御ユニットは、前記センサユニットから前記二次電池の両端電圧を受信し、前記二次電池の両端電圧に基づいて前記定電圧発生ユニットの定電圧の大きさを制御するように構成された、請求項２に記載の二次電池テスト装置。
【請求項４】
前記制御ユニットは、前記定電圧の大きさが前記二次電池の両端電圧より小さい状態から前記定電圧の大きさが前記二次電池の両端電圧と同じ状態になるまで、前記定電圧の大きさを一定に維持するように構成された、請求項３に記載の二次電池テスト装置。
【請求項５】
前記制御ユニットは、前記二次電池の両端電圧の大きさと前記定電圧の大きさとが同じときに発生する前記プロファイル上の一番目の変曲点を測定するように構成された、請求項４に記載の二次電池テスト装置。
【請求項６】
前記制御ユニットは、前記放電電流のデータに基づいてクーロン−時間単位の累積容量グラフを描くように構成された、請求項５に記載の二次電池テスト装置。
【請求項７】
前記制御ユニットは、前記累積容量グラフ上の変曲点以後のグラフの傾きを用いて前記放電電流の強さを測定するように構成された、請求項６に記載の二次電池テスト装置。
【請求項８】
前記テスト端子は、複数の二次電池の両端にそれぞれ連結されるように構成され、
前記センサユニットは、前記複数の二次電池の放電電流をそれぞれ測定し、
前記制御ユニットは、二次電池同士の前記放電電流の強さのバラツキに基づいて前記複数の二次電池のうちの不良電池を判別するように構成された、請求項７に記載の二次電池テスト装置。
【請求項９】
前記制御ユニットは、前記累積容量グラフ上の累積容量値を用いて前記放電電流の総量を測定するように構成された、請求項６に記載の二次電池テスト装置。
【請求項１０】
前記放電電流の強さの基準値を保存するように構成されたメモリユニットをさらに含む、請求項１から９のいずれか一項に記載の二次電池テスト装置。
【請求項１１】
前記制御ユニットは、前記メモリユニットから前記放電電流の強さの基準値を受信し、前記基準値に基づいて前記二次電池の不良を判別するように構成された、請求項１０に記載の二次電池テスト装置。
【請求項１２】
二次電池テスト方法であって、
二次電池の両端に定電圧を維持する段階と、
前記二次電池の放電電流を測定する段階と、
前記放電電流のプロファイル上の変曲点を測定し、前記変曲点を基準にして前記放電電流の強さを測定し、前記放電電流の強さに基づいて前記二次電池の自己放電の大きさをテストする段階と、を含む、二次電池テスト方法。
【発明の詳細な説明】
【技術分野】
【０００１】
本発明は、二次電池テスト装置及び方法に関し、より詳しくは、二次電池が自己放電する過程で効果的に二次電池の低電圧電池可能性を判断する二次電池テスト装置及び方法に関する。
【０００２】
本出願は、２０１８年４月３０日出願の韓国特許出願第１０−２０１８−００５０１１９号に基づく優先権を主張し、上記出願の明細書及び図面に開示された内容は、すべて本出願に組み込まれる。
【背景技術】
【０００３】
近年、ノートパソコン、ビデオカメラ、携帯電話などのような携帯用電子製品の需要が急激に伸び、電気自動車、エネルギー貯蔵用蓄電池、ロボット、衛星などの開発が本格化するにつれて、繰り返して充放電可能な高性能二次電池に対する研究が活発に行われている。
【０００４】
現在、ニッケルカドミウム電池、ニッケル水素電池、ニッケル亜鉛電池、リチウム二次電池などの二次電池が商用化しているが、中でもリチウム二次電池はニッケル系列の二次電池に比べてメモリ効果が殆ど起きず充放電が自在であり、自己放電率が非常に低くてエネルギー密度が高いという長所から脚光を浴びている。
【０００５】
このようなリチウム二次電池は、主に、リチウム系酸化物及び炭素材をそれぞれ正極活物質及び負極活物質として用いる。リチウム二次電池は、このような正極活物質と負極活物質がそれぞれ塗布された正極板と負極板とがセパレータを介在して配置された電極組立体、及び電極組立体を電解液とともに密封収納する外装材、すなわち電池ケースを備える。
【０００６】
一般にリチウム二次電池は、外装材の形状によって、電極組立体が金属缶に収納されている缶型二次電池と、電極組立体がアルミニウムラミネートシートからなるパウチに収納されているパウチ型二次電池とに分けられる。このような二次電池は、電極組立体が外装材に収納された状態で電解液が注入され、外装材がシーリングされる過程を通じて製造されることが一般的である。
【０００７】
近年、このようなパウチ型二次電池の適用範囲が拡がりながら、スマートフォンを含む小型携帯装置は勿論、ハイブリッド自動車を含む電気自動車や電力貯蔵装置のような中大型装置にもパウチ型二次電池が広く用いられている。
【０００８】
このような二次電池は、二次電池の製作環境や使用環境などによってそれぞれの二次電池毎に自己放電の程度が異なり得る。そして、複数の二次電池が備えられたバッテリーモジュールの場合、自己放電によって二次電池の間で電圧偏差が発生すれば、バッテリーモジュールの寿命及び性能の低下につながり得る。従って、二次電池の自己放電の程度に基づいて低電圧電池可能性を正確に予測する必要がある。
【発明の概要】
【発明が解決しようとする課題】
【０００９】
本発明は、上記問題点に鑑みてなされたものであり、二次電池が自己放電する過程で効果的に二次電池の低電圧電池可能性を判断することのできる改善された二次電池テスト装置及び方法を提供することを目的とする。
【００１０】
本発明の他の目的及び長所は、下記の説明によって理解でき、本発明の実施例によってより明らかに分かるであろう。また、本発明の目的及び長所は、特許請求の範囲に示される手段及びその組合せによって実現することができる。
【課題を解決するための手段】
【００１１】
上記の目的を達成するため、本発明の一実施形態による二次電池テスト装置は、テスト経路と、テスト経路の両端に備えられ、二次電池の正極端子と負極端子とにそれぞれ電気的に連結されるように構成されたテスト端子と、テスト経路上に備えられて二次電池の放電電流を測定するように構成されたセンサユニットと、テスト経路上に備えられて二次電池とセンサユニットとの間に定電圧を維持するように構成された定電圧発生ユニットと、センサユニットから放電電流のデータを受信して放電電流のプロファイル上の変曲点を測定し、変曲点を基準にして放電電流の強さを測定し、放電電流の強さに基づいて二次電池の自己放電の大きさをテストするように構成された制御ユニットとを含む。
【００１２】
また、センサユニットは、二次電池の両端電圧をさらに測定するように構成され得る。
【００１３】
また、制御ユニットは、センサユニットから二次電池の両端電圧を受信し、二次電池の両端電圧に基づいて定電圧発生ユニットの定電圧の大きさを制御するように構成され得る。
【００１４】
また、制御ユニットは、定電圧の大きさが二次電池の両端電圧より小さい状態から定電圧の大きさが二次電池の両端電圧と同じ状態になるまで、定電圧の大きさを一定に維持するように構成され得る。
【００１５】
また、制御ユニットは、二次電池の両端電圧の大きさと定電圧の大きさとが同じときに発生するプロファイル上の一番目の変曲点を測定するように構成され得る。
【００１６】
また、制御ユニットは、放電電流のデータに基づいてクーロン−時間単位の累積容量グラフを描くように構成され得る。
【００１７】
また、制御ユニットは、累積容量グラフ上の変曲点以後のグラフの傾きを用いて放電電流の強さを測定するように構成され得る。
【００１８】
また、テスト端子は、複数の二次電池の両端にそれぞれ連結されるように構成され、センサユニットは、複数の二次電池の放電電流をそれぞれ測定し、制御ユニットは、二次電池同士の放電電流の強さのバラツキに基づいて複数の二次電池のうちの不良電池を判別するように構成され得る。
【００１９】
また、制御ユニットは、累積容量グラフ上の累積容量値を用いて放電電流の総量を測定するように構成され得る。
【００２０】
また、本発明の一実施形態による二次電池テスト装置は、放電電流の強さの基準値を保存するように構成されたメモリユニットをさらに含み得る。
【００２１】
また、制御ユニットは、メモリユニットから放電電流の強さの基準値を受信し、基準値に基づいて二次電池の不良を判別するように構成され得る。
【００２２】
上記の目的を達成するため、本発明の一実施形態による二次電池テスト方法は、二次電池の両端に定電圧を維持する段階と、二次電池の放電電流を測定する段階と、放電電流のプロファイル上の変曲点を測定し、変曲点を基準にして放電電流の強さを測定し、放電電流の強さに基づいて二次電池の自己放電の大きさをテストする段階とを含む。
【発明の効果】
【００２３】
本発明の一実施形態によれば、二次電池において、二次電池の自己放電電流の強さを用いることで、二次電池の低電圧可能性を予め予測することができる。
【００２４】
特に、本発明の一実施形態によれば、バッテリーモジュールの場合、複数の二次電池の自己放電電流をそれぞれ測定することで、自己放電電流の強さのバラツキによる電池の不均一を正確に測定することのできる改善された二次電池テスト装置を提供することができる。
【００２５】
外にも本発明は他の多様な効果を有し、このような本発明の他の効果は下記の説明によって理解でき、本発明の実施形態よって見て明らかに分かるであろう。
【００２６】
本明細書に添付される次の図面は、本発明の望ましい実施形態を例示するものであり、発明の詳細な説明とともに本発明の技術的な思想をさらに理解させる役割をするため、本発明は図面に記載された事項だけに限定されて解釈されてはならない。
【図面の簡単な説明】
【００２７】
【図１】本発明の一実施形態による二次電池テスト装置が二次電池と連結される構成を概略的に示した図である。
【図２】本発明の一実施形態による二次電池テスト装置の機能的構成を概略的に示した図である。
【図３】本発明の一実施形態による二次電池テスト装置が参照する二次電池の放電電流プロファイルを示した図である。
【図４】本発明の一実施形態による二次電池テスト装置が参照する二次電池の累積容量グラフを示した図である。
【図５】本発明の一実施形態による二次電池テスト方法を概略的に示したフロー図である。
【発明を実施するための形態】
【００２８】
以下、添付された図面を参照して本発明の望ましい実施形態を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００２９】
したがって、本明細書に記載された実施形態及び図面に示された構成は、本発明のもっとも望ましい一実施形態に過ぎず、本発明の技術的な思想のすべてを代弁するものではないため、本出願の時点においてこれらに代替できる多様な均等物及び変形例があり得ることを理解せねばならない。
【００３０】
また、本発明の説明において、関連公知構成または機能についての具体的な説明が本発明の要旨を不明瞭にし得ると判断される場合、その詳細な説明は省略する。
【００３１】
明細書の全体において、ある部分がある構成要素を「含む」とするとき、これは特に言及されない限り、他の構成要素を除外するものではなく、他の構成要素をさらに含み得ることを意味する。また、明細書に記載された「制御ユニット」のような用語は少なくとも一つの機能や動作を処理する単位を意味し、ハードウェア、ソフトウェア、またはハードウェアとソフトウェアとの組合せで具現され得る。
【００３２】
さらに、明細書の全体において、ある部分が他の部分と「連結」されるとするとき、これは「直接的な連結」だけではなく、他の素子を介在した「間接的な連結」も含む。
【００３３】
本明細書において、二次電池は負極端子及び正極端子を備え、物理的に分離可能な一つの独立したセルを意味する。一例として、パウチ型リチウムポリマーセル一つを二次電池と見なし得る。
【００３４】
本発明による二次電池テスト装置は、二次電池をテストする装置である。例えば、本発明の一実施形態による二次電池テスト装置は、二次電池の不良をテストすることができる。具体的には、本発明による二次電池テスト装置は、二次電池の低電圧電池可能性をテストすることができる。また、本発明の一実施形態による二次電池テスト装置は、複数の二次電池を備えたバッテリーモジュールと連結されて複数の二次電池のうちの不良電池をテストすることができる。ここで、バッテリーモジュールは直列及び／または並列で連結された複数の二次電池を備えることができる。
【００３５】
図１は本発明の一実施形態による二次電池テスト装置が二次電池と連結される構成を概略的に示した図であり、図２は本発明の一実施形態による二次電池テスト装置の機能的構成を概略的に示した図である。
【００３６】
図１及び図２を参照すれば、本発明の一実施形態による二次電池テスト装置１は、テスト経路１００、テスト端子１１０、センサユニット２００、定電圧発生ユニット３００及び制御ユニット４００を含む。
【００３７】
テスト経路１００は、本発明の一実施形態による二次電池テスト装置１に備えられる。例えば、図１及び図２に示されたように、テスト経路１００は、二次電池テスト装置１の外部及び内部に備えられ得る。例えば、テスト経路１００は、電流が流れるように導電性材質からなる導線で具現され得る。
【００３８】
テスト端子１１０は、テスト経路１００の両端に備えられる。例えば、図１及び図２に示されたように、テスト端子１１０は、テスト経路１００の両端にそれぞれ備えられる。また、テスト端子１１０は、二次電池１０の正極端子１２と負極端子１１とにそれぞれ電気的に連結されるように構成される。例えば、テスト端子１１０は、二次電池１０の端子またはバッテリーモジュールの端子に電気的に接触できるように構成されたコネクタで具現され得る。
【００３９】
センサユニット２００は、テスト経路１００上に備えられる。例えば、図２に示されたように、センサユニット２００は、テスト経路１００上に備えられて二次電池１０の両端と電気的に連結され得る。また、センサユニット２００は、二次電池１０の放電電流を測定するように構成される。例えば、センサユニット２００は、電流センサを備え、電流センサを用いてテスト経路１００を流れる電流を測定することができる。
【００４０】
定電圧発生ユニット３００は、テスト経路１００上に備えられる。例えば、図２に示されたように、定電圧発生ユニット３００は、テスト経路１００上に備えられ、二次電池１０とセンサユニット２００との間に電気的に連結され得る。また、定電圧発生ユニット３００は、二次電池１０とセンサユニット２００との間に定電圧を維持するように構成される。例えば、定電圧発生ユニット３００は、定電圧を供給する電圧源で具現され得る。また、定電圧発生ユニット３００は、定電圧を発生させて二次電池１０とセンサユニット２００との間に定電圧が維持されるように定電圧を供給することができる。
【００４１】
制御ユニット４００は、センサユニット２００から放電電流のデータを受信することができる。例えば、制御ユニット４００は、電気的信号を送受信できるように、センサユニット２００と電気的に連結される。そして、制御ユニット４００は、センサユニット２００から測定データを受信することができる。
【００４２】
また、制御ユニット４００は、放電電流のプロファイル上の変曲点を測定することができる。より具体的には、制御ユニット４００は、センサユニット２００から受信した放電電流のデータに基づいて放電電流のプロファイルを測定することができる。ここで、放電電流のプロファイルは、時間に応じた電流の変化量を示す。また、制御ユニット４００は、放電電流のプロファイルをグラフで表し、放電電流のプロファイル上の変曲点を測定することができる。ここで、変曲点は、時間に応じた電流の変化パターンが変わる地点であり得る。
【００４３】
また、制御ユニット４００は、変曲点を基準にして放電電流の強さを測定することができる。例えば、放電電流の強さは、単位時間当り累積容量値の大きさで示すことができる。累積容量値についての詳細は後述する。
【００４４】
また、制御ユニット４００は、放電電流の強さに基づいて二次電池１０の自己放電の大きさをテストすることができる。ここで、放電電流が強い二次電池１０は自己放電が大きい二次電池１０であり得る。より具体的には、制御ユニット４００は、放電電流が強い二次電池１０を自己放電が大きい二次電池１０と判別することができる。また、制御ユニット４００は、自己放電が大きい二次電池１０を低電圧可能性が高い二次電池１０（例えば、不良電池）と判別することができる。
【００４５】
例えば、制御ユニット４００は、上述したような動作を実行するため、当業界に知られたプロセッサ、ＡＳＩＣ（Ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、レジスタ、通信モデム及び／またはデータ処理装置などを選択的に含む形態で具現され得る。
【００４６】
望ましくは、センサユニット２００は、二次電池１０の両端電圧をさらに測定するように構成される。より具体的には、本発明の一実施形態によるセンサユニット２００は、二次電池１０の両端に電気的に連結されるように構成された電圧測定装置を備え、二次電池１０の両端電圧を測定することができる。
【００４７】
より望ましくは、制御ユニット４００は、センサユニット２００から二次電池１０の両端電圧を受信し、二次電池１０の両端電圧に基づいて定電圧発生ユニット３００の定電圧の大きさを制御するように構成される。より具体的には、制御ユニット４００は、電気的信号を送受信できるように定電圧発生ユニット３００と電気的に連結される。また、制御ユニット４００は、定電圧発生ユニット３００の動作を制御することができる。例えば、制御ユニット４００は、定電圧発生ユニット３００が発生させる定電圧の大きさを制御することができる。また、制御ユニット４００は、定電圧発生ユニット３００の定電圧の大きさをセンサユニット２００から受信した二次電池１０の電圧よりも小さく制御することができる。
【００４８】
より望ましくは、制御ユニット４００は、定電圧の大きさを一定に維持するように定電圧発生ユニット３００を制御することができる。また、制御ユニット４００は、定電圧の大きさが二次電池１０の両端電圧より小さい状態から定電圧の大きさが二次電池１０の両端電圧と同じ状態になるまで、定電圧の大きさを一定に維持することができる。
【００４９】
望ましくは、図２に示されたように、本発明の一実施形態による二次電池テスト装置１は、メモリユニット５００をさらに含むことができる。
【００５０】
メモリユニット５００は、電気的信号を送受信できるように、制御ユニット４００と電気的に連結される。また、メモリユニット５００は、情報を記録し消去できる記録媒体であれば、その種類に特に制限がない。例えば、メモリユニット５００は、ＲＡＭ、ＲＯＭ、レジスタ、ハードディスク、光記録媒体または磁気記録媒体であり得る。また、メモリユニット５００は、制御ユニット４００によってアクセスできるように、例えばデータバスなどを通じて制御ユニット４００と電気的に連結される。また、メモリユニット５００は、制御ユニット４００が実行する各種の制御ロジックを含むプログラム及び／または制御ロジックの実行時に発生するデータを、保存及び／または更新及び／または消去及び／または伝送することができる。
【００５１】
より望ましくは、制御ユニット４００は、メモリユニット５００から放電電流の強さの基準値を受信し、受信した基準値に基づいて二次電池１０の不良を判別するように構成される。例えば、メモリユニット５００は不良電池の判別基準になる基準値を保存し、制御ユニット４００は、メモリユニット５００から基準値を受信し、受信した基準値に基づいて二次電池１０の不良を判別することができる。
【００５２】
図３は、本発明の一実施形態による二次電池テスト装置が参照する二次電池の放電電流プロファイルを示した図である。
【００５３】
図３を参照すれば、本発明の一実施形態による制御ユニット４００は、二次電池の時間に応じた放電電流データに基づいて放電電流プロファイルを描くことができる。より具体的には、制御ユニット４００は、センサユニット２００から受信した放電電流のデータに基づいて放電電流のプロファイルを測定することができる。ここで、放電電流のプロファイルは、時間に応じた電流の変化量を示す。また、制御ユニット４００は、放電電流のプロファイルをグラフで表し、放電電流のプロファイル上の変曲点を測定することができる。ここで、変曲点は、時間に応じた電流の変化パターンが変わる地点であり得る。
【００５４】
望ましくは、制御ユニット４００は、二次電池の両端電圧の大きさと定電圧の大きさとが同じときに発生する放電電流プロファイル上の一番目の変曲点を測定することができる。例えば、図３のグラフにおいて、放電電流の大きさが０である地点が二次電池の両端電圧の大きさと定電圧の大きさとが同じ地点である。ここで、放電電流の大きさが０である地点が一番目の変曲点である。
【００５５】
例えば、図３のグラフにおいて、放電電流の大きさが負である領域は、定電圧発生ユニット３００で発生する定電圧の大きさが二次電池の両端電圧の大きさより小さい領域であり得る。また、放電電流の大きさが０以上である領域は、定電圧発生ユニット３００で発生する定電圧の大きさが二次電池の両端電圧の大きさと同じ領域であり得る。
【００５６】
また、例えば、図３に示されたように、本発明の一実施形態による二次電池テスト装置は、複数の二次電池に対する放電電流のプロファイルを測定することができる。また、複数の二次電池に対するそれぞれの変曲点を測定することができる。
【００５７】
このような構成を通じて、本発明による二次電池テスト装置は、複数の二次電池の自己放電プロファイル上の自己放電電流交差点（例えば、変曲点）を測定し、それぞれの二次電池の自己放電の大きさを測定することができる。
【００５８】
図４は、本発明の一実施形態による二次電池テスト装置が参照する二次電池の累積容量グラフを示した図である。
【００５９】
図４を参照すれば、本発明の一実施形態による制御ユニット４００は、二次電池の放電電流データに基づいてクーロン−時間単位の累積容量グラフを描くことができる。ここで、累積容量グラフは、時間に応じた累積容量値の変化量を示す。
【００６０】
また、制御ユニット４００は、放電電流のプロファイル上の変曲点に基づいて累積容量グラフ上の変曲点を測定することができる。また、制御ユニット４００は、変曲点を基準にして放電電流の強さを測定することができる。
【００６１】
より具体的には、図４のグラフにおいて、制御ユニット４００は、累積容量グラフ上の変曲点以後のグラフの傾きを用いて放電電流の強さを測定することができる。ここで、累積容量グラフの傾きは、単位時間当り累積容量値の変化量を示す。例えば、図４のグラフにおいて、Ｃｅｌｌ＃１、Ｃｅｌｌ＃２及びＣｅｌｌ＃３の累積容量グラフ上の変曲点以後のグラフは、Ｃｅｌｌ＃１＞Ｃｅｌｌ＃２＞Ｃｅｌｌ＃３の順に傾きが大きい。すなわち、Ｃｅｌｌ＃１、Ｃｅｌｌ＃２及びＣｅｌｌ＃３の放電電流の強さは、Ｃｅｌｌ＃１＞Ｃｅｌｌ＃２＞Ｃｅｌｌ＃３の順に強い。
【００６２】
また、望ましくは、制御ユニット４００は、累積容量グラフ上の累積容量値を用いて放電電流の総量を測定するように構成される。より具体的には、制御ユニット４００は、累積容量グラフの面積に基づいて放電電流の総量を測定することができる。例えば、図４のグラフにおいて、斜線の入ったグラフの面積は、各二次電池の単位時間における自己放電電流の総量を示す。Ｃｅｌｌ＃１、Ｃｅｌｌ＃２及びＣｅｌｌ＃３のグラフの面積は、Ｃｅｌｌ＃１＞Ｃｅｌｌ＃２＞Ｃｅｌｌ＃３の順に広い。すなわち、Ｃｅｌｌ＃１、Ｃｅｌｌ＃２及びＣｅｌｌ＃３の放電電流の強さは、Ｃｅｌｌ＃１＞Ｃｅｌｌ＃２＞Ｃｅｌｌ＃３の順に放電電流の総量が大きい。
【００６３】
より望ましくは、本発明の一実施形態による二次電池テスト装置は、複数の二次電池をテストすることができる。より具体的には、テスト端子は複数の二次電池の両端にそれぞれ連結されるように構成される。また、センサユニット２００は、複数の二次電池の放電電流をそれぞれ測定することができる。また、制御ユニット４００は、二次電池同士の放電電流の強さのバラツキに基づいて、複数の二次電池のうちの不良電池を判断するように構成される。より具体的には、複数の二次電池の間で、放電電流の強さにバラツキが発生する場合、不均一によってバッテリーモジュールの寿命及び性能が低下するおそれがある。従って、本発明の一実施形態による二次電池テスト装置は、放電電流の強さのバラツキを測定して不良電池を判別することができる。
【００６４】
図５は、本発明の一実施形態による二次電池テスト方法を概略的に示したフロー図である。図５において、各段階の実行主体は、上述した本発明による二次電池テスト装置の各構成要素であり得る。
【００６５】
図５に示されたように、定電圧発生ユニットは、定電圧維持段階（Ｓ１００）において、二次電池の両端に定電圧を維持する。
【００６６】
次いで、センサユニットは、放電電流測定段階（Ｓ１１０）において、二次電池の放電電流を測定する。
【００６７】
その後、制御ユニットは、テスト段階（Ｓ１２０）において、放電電流のプロファイル上の変曲点を測定し、変曲点を基準にして放電電流の強さを測定し、放電電流の強さに基づいて二次電池の自己放電の大きさをテストする。
【００６８】
望ましくは、定電圧維持段階（Ｓ１００）において、センサユニットは、二次電池の両端電圧を測定することができる。また、制御ユニットは、センサユニットから二次電池の両端電圧を受信し、二次電池の両端電圧に基づいて定電圧発生ユニットの定電圧の大きさを制御することができる。
【００６９】
より望ましくは、定電圧維持段階（Ｓ１００）において、制御ユニットは、定電圧の大きさが二次電池の両端電圧より小さい状態から定電圧の大きさが二次電池の両端電圧と同じ状態になるまで、定電圧の大きさを一定に維持することができる。
【００７０】
また、望ましくは、放電電流測定段階（Ｓ１１０）において、センサユニットは、複数の二次電池の放電電流をそれぞれ測定することができる。
【００７１】
また、望ましくは、テスト段階（Ｓ１２０）において、制御ユニットは、二次電池の両端電圧の大きさと定電圧の大きさとが同じときに発生するプロファイル上の一番目の変曲点を測定することができる。また、制御ユニットは、放電電流のデータに基づいてクーロン−時間単位の累積容量グラフを描くことができる。また、制御ユニットは、累積容量グラフ上の変曲点以後のグラフの傾きを用いて放電電流の強さを測定することができる。また、制御ユニットは、累積容量グラフ上の累積容量値を用いて放電電流の総量を測定することができる。また、制御ユニットは、二次電池同士の放電電流の強さのバラツキに基づいて複数の二次電池のうちの不良電池を判別することができる。
【００７２】
また、制御ロジックがソフトウェアで具現されるとき、制御ユニットはプログラムモジュールの組合せで具現され得る。このとき、プログラムモジュールはメモリ装置に保存され、プロセッサによって実行され得る。
【００７３】
また、制御ユニットの多様な制御ロジックは少なくとも一つ以上が組み合わせられ、組み合わせられた制御ロジックはコンピュータ可読のコード体系で作成されてコンピュータ可読の記録媒体に書き込まれ得る。記録媒体は、コンピュータに含まれたプロセッサによってアクセス可能なものであればその種類に特に制限がない。一例として、記録媒体は、ＲＯＭ、ＲＡＭ、レジスタ、ＣＤ−ＲＯＭ、磁気テープ、ハードディスク、フロッピーディスク及び光データ記録装置を含む群から選択された少なくとも一つ以上を含む。また、コード体系はネットワークで連結されたコンピュータに分散して保存されて実行され得る。また、組み合わせられた制御ロジックを具現するための機能的なプログラム、コード及びセグメントは、本発明が属する技術分野のプログラマによって容易に推論され得る。
【００７４】
以上のように、本発明を限定された実施形態と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【００７５】
一方、本明細書において、「メモリユニット」及び「制御ユニット」などのように「ユニット」との用語が使われたが、これは論理的な構成単位を示すものであって、物理的に分離可能であるか又は物理的に分離されるべき構成要素を示すものではないことは当業者に自明である。
【図１】
2020532061.tif 000003
【図２】
2020532061.tif 000004
【図３】
2020532061.tif 000005
【図４】
2020532061.tif 000006
【図５】
2020532061.tif 000007
【国際調査報告】
2020532061.tif 000008
2020532061.tif 000009
2020532061.tif 000010
2020532061.tif 000011